(57)【特許請求の範囲】
【請求項１】
被マッサージ体のマッサージを行うためのマッサージ装置において、
回転軸が互いに略平行でかつ所望の距離を隔てて配設される第１の回転柱体および第２の回転柱体と、上記第１および第２の回転柱体を上記回転軸の正方向および逆方向を交互にかつ同一方向に所望の回転角度にて回転させる回転手段と、上記第１および第２の回転柱体の上面側の間の略中央に上記被マッサージ体を載置した際に上記第１および第２の回転柱体の上面側とにて上記被マッサージ体を押圧する押圧手段とを備え、
上記第１および第２の回転柱体の上面側の間の略中央に上記被マッサージ体が載置されるとともに、上記被マッサージ体を上記押圧手段と上記第１および第２の回転柱体の上面側とによって押圧し、上記回転手段を駆動することにより上記被マッサージ体を上記回転軸の正方向および逆方向の交互に捻ることによりマッサージを行うことを特徴とするマッサージ装置。
【請求項２】
上記第１および第２の回転柱体の回転軸の所望の距離を変更して保持可能な変更手段を備え、上記回転軸の所望の距離を上記被マッサージ体に応じて変更することを特徴とする請求項１に記載のマッサージ装置。
【請求項３】
上記第１および第２の回転柱体を互いの回転軸側に付勢する付勢手段と、上記付勢手段の付勢を開放する開放手段とを備え、上記開放手段により上記付勢手段の付勢を開放し上記第１および第２の回転柱体の上面側の間の略中央に上記被マッサージ体を載置し、上記開放手段を元に戻して上記付勢手段を付勢状態に戻すと、上記第１および第２の回転柱体の回転軸が所望の距離を隔てて配設されるとともに、上記第１および第２の回転柱体の上面側により上記被マッサージ体が挟持されることを特徴とする請求項１または請求項２に記載のマッサージ装置。
【請求項４】
上記第１および第２の回転柱体の上面側に上記被マッサージ体を載置する際に、上記被マッサージ体の上記第１および第２の回転柱体の上面側に載置されない部分を保持する保持台を備えたことを特徴とする請求項１ないし請求項３のいずれか１項に記載のマッサージ装置。
【請求項５】
上記回転手段は、上記所望の回転角度が略５度ないし略６０度のいずれかに変更する機能を備え、上記所望の回転角度を上記被マッサージ体に応じて変更することを特徴とする請求項１ないし請求項４のいずれかに記載のマッサージ装置。
【請求項６】
上記回転手段は、上記回転軸の正方向および逆方向の交互の回転の単位時間当たりの往復回数を変更する機能を備え、上記単位時間当たりの往復回数を上記被マッサージ体に応じて変更することを特徴とする請求項１ないし請求項５のいずれか１項に記載のマッサージ装置。
【請求項７】
上記第１および第２の回転柱体は、円柱体にて形成されていることを特徴とする請求項１ないし請求項６のいずれか１項に記載のマッサージ装置。
【請求項８】
上記押圧手段は、上記第１および第２の回転柱体の上面側と対向する箇所が弾性部材にて形成されていることを特徴とする請求項１ないし請求項７のいずれか１項に記載のマッサージ装置。
【発明の詳細な説明】
【技術分野】
【０００１】
この発明は、被マッサージ体を上下から挟持したような（つまんだような）状態にて長手方向を軸として捻り往復運動によるマッサージを行うことができるマッサージ装置に関するものである。
【背景技術】
【０００２】
従来の足指マッサージ装置は、足指に対して引っ張り屈曲と、押圧反り返しのマッサージを繰り返すものである（例えば、特許文献１参照）。
また他の従来の足マッサージ機は、つま先側を水平方向の往復運動により刺激してマッサージを行うものである（例えば、特許文献２参照）。
【０００３】
【特許文献１】特開２００６−１５８５６２号公報
【特許文献２】特開２０００−２４５７９７号公報
【発明の開示】
【発明が解決しようとする課題】
【０００４】
従来のマッサージ装置では、足指や手指などの被マッサージ体を上下から挟持したような（つまんだような）状態にて長手方向を軸として捻り往復運動によるマッサージを行うことができないという問題点があった。
【０００５】
この発明は上記のような課題を解決するためになされたものであり、被マッサージ体を上下から挟持したような（つまんだような）状態にて長手方向を軸として捻り往復運動によるマッサージを行うことができるマッサージ装置を提供することを目的とする。
【課題を解決するための手段】
【０００６】
この発明は、被マッサージ体のマッサージを行うためのマッサージ装置において、
回転軸が互いに略平行でかつ所望の距離を隔てて配設される第１の回転柱体および第２の回転柱体と、第１および第２の回転柱体を回転軸の正方向および逆方向を交互にかつ同一方向に所望の回転角度にて回転させる回転手段と、第１および第２の回転柱体の上面側の間の略中央に被マッサージ体を載置した際に第１および第２の回転柱体の上面側とにて被マッサージ体を押圧する押圧手段とを備え、
第１および第２の回転柱体の上面側の間の略中央に被マッサージ体が載置されるとともに、被マッサージ体を押圧手段と第１および第２の回転柱体の上面側とによって押圧し、回転手段を駆動することにより被マッサージ体を回転軸の正方向および逆方向の交互に捻ることによりマッサージを行うものである。
【発明の効果】
【０００７】
この発明のマッサージ装置は、被マッサージ体のマッサージを行うためのマッサージ装置において、
回転軸が互いに賂平行でかつ所望の距離を隔てて配設される第１の回転柱体および第２の回転柱体と、第１および第２の回転柱体を回転軸の正方向および逆方向を交互にかつ同一方向に所望の回転角度にて回転させる回転手段と、第１および第２の回転柱体の上面側の間の略中央に被マッサージ体を載置した際に第１および第２の回転柱体の上面側とにて被マッサージ体を押圧する押圧手段とを備え、
第１および第２の回転柱体の上面側の間の略中央に被マッサージ体が載置されるとともに、被マッサージ体を押圧手段と第１および第２の回転柱体の上面側とによって押圧し、回転手段を駆動することにより被マッサージ体を回転軸の正方向および逆方向の交互に捻
ることによりマッサージを行うので、
被マッサージ体を上下から挟持したような（つまんだような）状態にて長手方向を軸として捻り往復運動によるマッサージを行うことができる。
【発明を実施するための最良の形態】
【０００８】
実施の形態１．
以下、本願発明の実施の形態について説明する。図１はこの発明の実施の形態１におけるマッサージ装置の構成を示す側面図、図２は図１に示したマッサージ装置のマッサージを行う部分の詳細を示した図、図３は図１に示したマッサージ装置の第１および第２の回転柱体の駆動の原理を説明するための図、図４は図１に示したマッサージ装置の第１および第２の回転柱体の回転角度を説明するための図、図５は図１に示したマッサージ装置の第１および第２の回転柱体の動作を説明するための図、図６は図１に示したマッサージ装置の使用方法を示した図、図７は図１に示したマッサージ装置の使用した状態のマッサージを行う部分の詳細を示した図、図８は図１に示したマッサージ装置の変更手段の詳細を示した図である。
【０００９】
図において、被マッサージ体のマッサージを行うためのマッサージ装置１は、回転軸としての第１および第２の回転軸２、３が互いに略平行でかつ所望の距離Ｈ１を隔てて配設される第１の回転柱体４および第２の回転柱体５と、第１および第２の回転柱体４、５を第１および第２の回転軸２、３の正方向Ａおよび逆方向Ｂを交互にかつ同一方向に所望の回転角度θ１、θ２にて回転させる回転手段６と、第１および第２の回転柱体４、５の上面側４ａ、５ａの間Ｘの略中央に被マッサージ体７を載置した際に第１および第２の回転柱体４、５の上面側４ａ、５ａとにて被マッサージ体７を押圧する押圧手段８と、第１および第２の回転柱体４、５の第１および第２の回転軸２、３の間隔を変更して保持可能な変更手段９と、第１および第２の回転柱体４、５の上面側４ａ、５ａの間Ｘの略中央に被マッサージ体７を載置する際に、被マッサージ体７の第１および第２の回転柱体４、５の上面側４ａ、５ａに載置されない部分を保持する保持台１０とにて構成されている。ここでは、被マッサージ体７を手の指を例に示している。
【００１０】
第１および第２の回転柱体４、５は、例えば円柱体にて形成され、部材としては木材、樹脂材等にて構成されることが考えられる。円柱体にて形成したのは、被マッサージ体７の接する箇所に対する過度な刺激を低減するためのものであり、他の構造であっても、被マッサージ体７の過度な刺激がなければ良く、例えば、表面に多少の凹凸部を備え、被マッサージ体７がその凹凸部に接することによりマッサージ効果をさらに向上させるような構成であっても良い。そして、第１および第２の回転柱体４、５の回転軸として、例えば金属材などの回転に耐えうる材質にて構成される棒状の部材にて構成される第１および第２の回転軸２、３がそれぞれ中心に貫通され配設され、両端が回動可能に支持壁１１および支持体１２にて支持されている。支持体１２には第１および第２の回転柱体４、５に被マッサージ体７を載置した際に、被マッサージ体７の第１および第２の回転柱体４、５の上面側４ａ、５ａに載置されない部分を、保持体１０上に連続的に導きやすくするための凹部１２ａが形成されている。
【００１１】
回転手段６は、例えば傘歯車にてなる第１の歯車６０と、例えば傘歯車にてなる第２の歯車６１と、例えば傘歯車にてなる第３の歯車６２と、第３の歯車６２を回転させるモータ６３と、モータ６３を制御する制御部６４と、第１の歯車６０の回転駆動を第１の回転柱体４の回転駆動に変換して伝達するための第１の連結部６５と、第２の歯車６１の回転駆動を第２の回転柱体５の回転駆動に変換して伝達するための第２の連結部６６と、制御部６４に接続されているオン・オフなどを行うスイッチ６７とにて構成されている。そして、第１の歯車６０および第２の歯車６１は第３の歯車６２に一部が噛み合って連結されており、第３の歯車６２の回転により第１の歯車６０および第２の歯車６１は反対方向に回転駆動するものである。よって、第３の歯車６２はモータ６３により回転駆動しており、その第３の歯車６２の回転により第１および第２の歯車６０、６１が回転駆動しており、その第１および第２の歯車６０、６１の回転により第１および第２の連結部６５、６６にて連結されている第１および第２の回転柱体４、５が正方向Ａおよび逆方向Ｂを交互にかつ同一方向に所望の回転角度θ１、θ２にて回転している。制御部６４は、モータ６３の回転の速さ、スイッチ６７の入力により回転のオン・オフなどを制御しているものである。
【００１２】
押圧手段８は、被マッサージ体７を押圧するための押圧面を有している押圧部８０と、押圧部８０に連結されているバネ部８１と、支持壁１１に配設されバネ部８１に連結されバネ部８１を伸縮するためのハンドル部８２とにて構成されている。そして、押圧部８０は例えばゴムなどの弾性部材にて形成されており、押圧部８０と第１および第２の回転柱体４、５の上面側４ａ、５ａとにて被マッサージ体７を挟み込むようにして押圧する。また、ハンドル部８２を上げ下げすることによりバネ部８１を伸縮させ、押圧部８０を上げ下げすることができる。通常ハンドル部８２に力の付されていない状態では、バネ部８１の伸張力により、押圧部８０は第１および第２の回転柱体４、５の上面側４ａ、５ａに略接している状態にて保持されている。
【００１３】
変更手段９は、支持壁１１または支持体１２にそれぞれ横長の穴にて形成される第１および第２の開口部９０、９１と、この第１および第２の開口部９０、９１の所望の位置に第１および第２の回転軸２、３を回動可能に固定する第１および第２の固定具９２、９３とにて構成されている。第１および第２の開口部９０、９１の所望の位置に第１および第２の回転軸２、３を固定することにより、第１および第２の回転柱体４、５の第１および第２の回転軸２、３の間隔を変更して保持することができる。
【００１４】
次に上記のように構成された実施の形態１のマッサージ装置の動作について説明する。まず、マッサージを行うための被マッサージ体７の大きさに応じて予め変更手段９により第１および第２の回転柱体４、５の第１および第２の回転軸２、３の間隔をここでは所望の間隔Ｈ１に設定しておく。この変更は図８に示すように、第１および第２の回転柱体４、５の第１および第２の回転軸２、３の間隔は、間隔Ｈ１から間隔Ｈ２までの所望の箇所にて第１および第２の固定具９２、９３により第１および第２の回転柱体４、５の第１および第２の回転軸２、３を固定することにより変更することができる。次に、ハンドル部８２を図６の矢印Ｃの方向に押し下げて、押圧部８０を第１および第２の回転柱体４、５の上面側４ａ、５ａから離反させる（図６（ａ））。
【００１５】
次に、第１および第２の回転柱体４、５の上面側４ａ、５ａの間Ｘの略中央に被マッサージ体７を載置して、被マッサージ体７のうち、第１および第２の回転柱体４、５の上面側４ａ、５ａに載置されない部分は支持体１２の凹部１２ａを介して保持台１０上に保持する。次に、ハンドル部８２を戻して（上げて）、押圧部８０を被マッサージ体７の上部に当接させる（図６（ｂ）、図７）。よって、被マッサージ体７は、押圧部８０と第１および第２の回転柱体４、５の上面側４ａ、５ａとにて挟み込むようにして押圧される。
【００１６】
次に、例えばスイッチ６７をオンすることにより、第１および第２の回転柱体４、５を回転手段６により正方向Ａおよび逆方向Ｂを交互にかつ同一方向に所望の回転角度θ１、θ２にて回転させる。正方向Ａおよび逆方向Ｂとは例えば図４（ａ）に示したように、各矢印の方向を示すものとする。よって、正方向Ａおよび逆方向Ｂを交互にかつ同一方向にとは、まず、第１および第２の回転柱体４、５の両方ともを正方向Ａの同一方向に所望の回転角度θ１だけ回転させる。次に、第１および第２の回転柱体４、５の両方ともを逆方向Ｂの同一方向に所望の回転角度θ２だけ回転させる。そして、この動作を繰り返して行っている状態である。
【００１７】
また、所望の回転角度θ１、θ２は図４（ｂ）に示すように、例えば第１の回転柱体４の中心角の角度を示すものとする。尚、所望の回転角度θ１、θ２は被マッサージ体７に応じて変更すれば良いが、考えられる角度としては略５度ないし略６０度のいずれかにて設定されることが適当であると考えられる。これは所望の回転角度が５度より小さいと被マッサージ体７のマッサージ効果をあまり感じることができためであり、所望の回転角度が６０度より大きいと被マッサージ体７に痛みが生じる可能がある。但し、この所望の回転角度とは、被マッサージ体７が実際に回転する角度ではなく、あくまでも、第１および第２の回転柱体４、５が回転する角度であることは言うまでもない。よって、被マッサージ体７が実際に回転する角度（捻られる角度）は、この第１および第２の回転柱体４、５の所望の回転角度より小さくなることは言うまでもない。
【００１８】
そしてこの際の回転駆動は、図３および図５に示すように、スイッチ６７をオンすることに制御部６４からの指示によりモータ６３が駆動し、第３の歯車６２は矢印Ｄの方向に回転する。そして、この第３の歯車６２の回転により第１および第２の歯車６０、６１は矢印Ｅおよび矢印Ｆの方向に回転する。そして、図５に示すように、第１および第２の歯車６０、６１に連結されている第１および第２の連結部６５、６６が、第１および第２の歯車６０、６１の回転により上下に移動する。ここでは第１の連結部６５が下方に移動した場合には、第１の回転柱体４は正方向Ａに所望の回転角度θ１回転し、第１の連結部６５が上方に移動した場合には、第１の回転柱体４は逆方向Ｂに所望の回転角度θ２回転する。尚、第２の連結部６６と第２の回転柱体５との駆動の関係も同様であるため説明を省略する。
【００１９】
そして、第１および第２の回転柱体４、５の上面側４ａ、５ａの間Ｘの略中央に被マッサージ体７は、被マッサージ体７を押圧手段８と第１および第２の回転柱体４、５の上面側４ａ、５ａとによって押圧され、回転手段６を駆動することにより被マッサージ体７を第１および第２の回転軸２、３の正方向Ａおよび逆方向Ｂの交互に捻ることによりマッサージが行われる。また、この際の第１および第２の回転軸２、３の正方向Ａから逆方向Ｂまで、また、逆方向Ｂから正方向Ａまでに回転する速度は被マッサージ体７に応じて、また、所望の回転角度に応じて適宜設定することが考えられる。これにより被マッサージ体７に応じて適切なマッサージを行うことができる。具体例としては、被マッサージ体７が手の指の場合には、回転角度が略４５度程度、回転の間隔は１分間に略９５往復回程度で十分にマッサージ効果があることが確認されている。
【００２０】
上記のように構成された実施の形態１のマッサージ装置は、被マッサージ体を上下から挟持したような（つまんだような）状態にて長手方向を軸として捻り往復運動によるマッサージを行うことができる。このため被マッサージ体の血行を促進することができ、良好なマッサージ効果を奏することができる。また、変更手段により第１および第２の回転柱体の回転軸の所望の距離を変更して保持することができるため、例えば、手の指ではなく、足の指などを手の指より太い（大きな）ものを被マッサージ体としてマッサージする場合には、変更手段により第１および第２の回転柱体の回転軸の所望の距離を多いく変更して行うようにすれば良い、被マッサージ体の大きさに応じて適切なマッサージを行うことができる。また、第１および第２の回転柱体の上面側に被マッサージ体を載置する際に、被マッサージ体の第１および第２の回転柱体の上面側に載置されない部分を保持台上に載置して保持しながらマッサージを行うようにしているため、疲れずにマッサージを行うことができる。
【００２１】
尚、回転手段、押圧手段などは上記実施の形態１に示した構成にも考えら得ることは言うまでもなく、他の構成であっても同様の機能を果たす構成であれば良いことは言うまでもない。また、所望の回転角度および回転の間隔の速度などは一定である必要はなく、マッサージに応じて適宜変更しても良いことは言うまでもない。また、上記実施の形態１では被マッサージ体として手の指または足の指を例に示したが、これに限られることはなく、被マッサージ体としては、例えば腕、足などでも良いことは言うまでもない。但し、このように箇所の場合には、上記実施の形態１にて示したものより大きな構造となることは言うまでもなく。但し、例えば、第１および第２の回転柱体４、５の前方に形成される支持壁１１に被マッサージ体が貫通可能な開口部を形成する必要が生じる。
【００２２】
実施の形態２．
図９はこの発明の実施の形態２におけるマッサージ装置の開放手段の部分の構成を示す図、図１０は図９の矢印Ｇ方向から見た際の開放手段および付勢手段の部分の構成を示す図、図１１は図９の矢印Ｆ方向から見た際の開放手段および付勢手段の部分の構成を示す図、図１２はこの発明の実施の形態２におけるマッサージ装置のマッサージを行う部分の詳細を示した図である。図において、上記実施の形態１と同様の部分は同一符号を付して説明を省略するとともに、本実施の形態２においては上記実施の形態１と異なる付勢手段および開放手段に関わる部分の図面を詳細に示し他の上記実施の形態１と同様の部分はその図示も適宜省略する。支持壁１１または支持体１２にそれぞれ横長の穴にて形成される第１および第２の開口部９０、９１（図８参照）に貫通されている第１および第２の回転軸２、３を、互いの第１および第２の回転軸２、３側に付勢するバネにてなる付勢手段１００と、付勢手段１００の付勢を開放する開放手段７０とを備えている。
【００２３】
開放手段７０は、特に図１０に示すように、第１および第２の回転軸２、３の一端側（図９の矢印Ｇの方向側）に、一端７１ａ、７２ａがそれぞれが接続され、他端７１ｂ、７２ｂが互いに第１および第２の回転軸２、３間の上方側にて接続されてなる第１および第２のリンク部７１、７２と、第１および第２のリンク部７１、７２の他端７１ｂ、７２ｂを矢印Ｈの下方に押し下げ、これにともない第１および第２のリンク部７１、７２の一端７１ａ、７２ａの間隔を矢印Ｉ、Ｊの方向にそれぞれ広げ、すなわち第１および第２の回転軸２、３の間隔を広げて付勢手段１００の付勢を開放する開放部７３とを備える。この際、第１および第２の回転軸２、３は、横長の穴にて形成される第１および第２の開口部９０、９１に貫通して形成されているため、確実にその間隔を広げることができる。
【００２４】
そして、第１および第２のリンク部７１、７２の他端７１ｂ、７２ｂに一端７４ａが接続され垂直下方向に形成される第３のリンク部７４と、第３のリンク部７４の他端７４ｂに一端７５ａが接続されている第４のリンク部７５と、第４のリンク部７５の他端７５ｂに接続されるとともに第１および第２の回転軸２、３の他方側（図９の矢印Ｆの方向側）に形成されている第４のリンク部７５の他端７５ｂに接続され回転可能な円柱状にてなる第５のリンク部７６（特に、図１２参照）とを備える。
【００２５】
さらに、特に図９に示すように、押圧部８０の上げ下げを行うため、滑車部８３にフレキシブルワイヤ８４を介して接続されているハンドル部７７と、ハンドル部７７の上下動作に連動して、上げる動作の時には下がり、下がる動作の時には上がるように下上する上下動部７８、この上下動部７８の上下動により開放部７３が上下動する。尚、図１１は図９の矢印Ｆの方向側から見た場合の図であり、上記に示した図１０と同様の部分は同一符号を付して説明を省略する。
【００２６】
次に上記のように構成された実施の形態２のマッサージ装置の動作について説明する。尚、被マッサージ体に対してマッサージを行う動作は上記実施の形態１と同様であるためその説明は適宜省略する。ここでは、上記実施の形態１とは異なる、付勢手段１００および開放手段７０に関わる動作について説明する。まず、図９（ａ）、図１０（ａ）、図１１（ａ）に示した状態から、ハンドル部７７を矢印Ｌの方向に上げる。すると、図９（ｂ）、図１０（ｂ）、図１１（ｂ）に示したように、滑車部８３を介してフレキシブルワイヤ８４が引っ張られ、押圧部８０が上昇する。さらに、ハンドル部７７の上げる動作にともない、上下動部７８は矢印Ｍの方向に下がる。これにより、開放部７３が矢印Ｈの方向に下がる。そして、第１および第２のリンク部７１、７２の他端７１ｂ、７２ｂが矢印Ｈの下方に押し下げられ、第１および第２のリンク部７１、７２の一端７１ａ、７２ａの間隔を矢印Ｉ、Ｊの方向にそれぞれ広がり、すなわち第１および第２の回転軸２、３の間隔を広げて付勢手段１００の付勢を開放する。
【００２７】
さらにこれと同時に、開放部７３が矢印Ｈの方向に下がると、第３のリンク部７４が矢印Ｋの方向に下がる。そして、第４のリンク部７５の一端７５ａが矢印Ｋの方向に下がるとともに、第４のリンク部７５の他端７５ｂが第５のリンク部７６を矢印Ｌの方向に回転する。そして、この回転を図９の矢印Ｆの方向側から見た、第５のリンク部７６に同様に矢印Ｌの方向に回転し、これにより第４のリンク部７５の一端７５ａが矢印Ｋの方向に下げられる。そして、第３のリンク部７４の他端７４ｂが矢印Ｋの方向に下げられ、これにより第１および第２のリンク部の他端７１ｂ、７２ｂが矢印Ｈの下方に押し下げられ、第１および第２のリンク部７１、７２の一端７１ａ、７２ａの間隔を矢印Ｉ、Ｊの方向にそれぞれ広がり、すなわち第１および第２の回転軸２、３の間隔を広げて付勢手段１００の付勢を開放する。
【００２８】
そして、この状態にて被マッサージ体７を第１および第２の回転柱体４、５の上面側４ａ、５ａ上に載置する。そして、ハンドル部７７を元の位置（下がる動作）に戻す動作を行うと、図９（ａ）、図１０（ａ）、図１１（ａ）に示すように、滑車部８３を介してフレキシブルワイヤ８４がゆるめられて、押圧部８０が下降し、第１および第２の回転柱体４、５の上面側４ａ、５ａにより被マッサージ体７が挟持される。さらに、ハンドル部７７の下げる動作にともない、上下動部７８は矢印Ｍの逆方向に上がる。これにより、開放部７３が矢印Ｈの逆方向に上昇し、これにともない第１および第２のリンク部７１、７２の他端７１ｂ、７２ｂが上昇し、第１および第２のリンク部７１、７２の一端７１ａ、７２ａの間隔を矢印Ｉ、Ｊの逆方向にそれぞれ戻り、すなわち第１および第２の回転軸２、３の間隔が所望の距離を隔てて配設され付勢手段１００が付勢状態に戻される。
【００２９】
さらにこれと同時に、開放部７３が矢印Ｈの逆方向に上昇すると、第３のリンク部７４が矢印Ｋの逆方向に上昇する。そして、第４のリンク部７５の一端７５ａが矢印Ｋの逆方向に上昇するとともに、第４のリンク部７５の他端７５ｂが第５のリンク部７６を矢印Ｌの逆方向に回転する。そして、この逆方向の回転を図９の矢印Ｆの方向側から見た、第５のリンク部７６も同様に矢印Ｌの逆方向に回転し、これにより第４のリンク部７５の一端７５ａが矢印Ｋの逆方向に上昇する。そして、第３のリンク部７４の他端７４が矢印Ｋの逆方向に上昇し、第１および第２のリンク部７１、７２の他端７１ｂ、７２ｂが矢印Ｈの逆方向に上昇し、第１および第２のリンク部７１、７２の一端７１ａ、７２ａの間隔を矢印Ｉ、Ｊの逆方向にそれぞれ戻り、すなわち第１および第２の回転軸２、３の間隔が所望の距離を隔てて配設され付勢手段１００が付勢状態に戻される。
【００３０】
そして、第１および第２の回転柱体４、５の上面側４ａ、５ａにより被マッサージ体７が挟持され、被マッサージ体７の大きさに応じて第１および第２の回転柱体４、５の第１および第２の回転軸２、３が所望の距離を隔てて配設されることとなる。このように被マッサージ体７が第１および第２の回転柱体４、５の上面側４ａ、５ａおよびその上部から押圧部８０の３方向から挟持された状態にて、第１および第２の回転柱体４、５を正方向および逆方向を交互にかつ同一方向に所望の回転角度にて回転させる被マッサージ体７のマッサージを行う。そして、マッサージが終了するとハンドル部７７を引き上げる動作を上記に示した場合と同様に行い、被マッサージ体７をマッサージ装置から外す。
【００３１】
上記のように構成された実施の形態２のマッサージ装置は、上記実施の形態１と同様の効果を奏するのはもちろんのこと、被マッサージ体を３方向から挟持した状態にて、長手方向を軸として捻り往復運動によるマッサージを行うことができるため、被マッサージ体の血行をより一層確実に促進することができ、より一層良好なマッサージ効果を奏することができる。
【図面の簡単な説明】
【００３２】
【図１】この発明の実施の形態１のマッサージ装置の構成を示す側面図である。
【図２】図１に示したマッサージ装置のマッサージを行う部分の詳細を示した図である。
【図３】図１に示したマッサージ装置の第１および第２の回転柱体の駆動の原理を説明するための図である。
【図４】図１に示したマッサージ装置の第１および第２の回転柱体の回転角度を説明するための図である。
【図５】図１に示したマッサージ装置の第１および第２の回転柱体の動作を説明するための図である。
【図６】図１に示したマッサージ装置の使用方法を示した図である。
【図７】図１に示したマッサージ装置の使用した状態のマッサージを行う部分の詳細を示した図である。
【図８】図１に示したマッサージ装置の変更手段の詳細を示した図である。
【図９】この発明の実施の形態２におけるマッサージ装置の開放手段の部分の構成を示す図である。
【図１０】図９の矢印Ｇ方向から見た際の開放手段および付勢手段の部分の構成を示す図である。
【図１１】図９の矢印Ｆ方向から見た際の開放手段および付勢手段の部分の構成を示す図である。
【図１２】この発明の実施の形態２におけるマッサージ装置のマッサージを行う部分の詳細を示した図である。
【符号の説明】
【００３３】
１  マッサージ装置、２  第１の回転軸、３  第２の回転軸、Ｈ１  所望の距離、
４  第１の回転柱体、４ａ，５ａ  上面側、５  第２の回転柱体、Ａ  正方向、
Ｂ  逆方向、θ１，θ２  所望の回転角度、６  回転手段、Ｘ  上面側４ａ，５ａの間、７  被マッサージ体、８  押圧手段、９  変更手段、１０  保持台、７０  開放手段、
１００  付勢手段。
【要約】
【課題】被マッサージ体を上下から挟持したような状態にて長手方向を軸として捻り往復運動によるマッサージを行うことができるマッサージ装置を提供する。
【解決手段】回転軸が互いに略平行でかつ所望の距離を隔てて配設される第１の回転柱体および第２の回転柱体と、第１および第２の回転柱体を回転軸の正方向および逆方向を交互にかつ同一方向に所望の回転角度にて回転させる回転手段と、第１および第２の回転柱体の上面側の間の略中央に被マッサージ体を載置した際に第１および第２の回転柱体の上面側とにて被マッサージ体を押圧する押圧手段とを備え、
回転手段を駆動することにより被マッサージ体を回転軸の正方向および逆方向の交互に捻ることによりマッサージを行うものである。
【選択図】図１【図１】
0004134267.tif 000002
【図２】
0004134267.tif 000003
【図３】
0004134267.tif 000004
【図４】
0004134267.tif 000005
【図５】
0004134267.tif 000006
【図６】
0004134267.tif 000007
【図７】
0004134267.tif 000008
【図８】
0004134267.tif 000009
【図９】
0004134267.tif 000010
【図１０】
0004134267.tif 000011
【図１１】
0004134267.tif 000012
【図１２】
0004134267.tif 000013